【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
コンピューティング資源への高可用性アクセスを提供するコンピューティングシステムであって、
複数のインターフェイスと、
複数のコンピューティング資源セットと、
少なくとも３つのスイッチと、を備え、
前記コンピューティング資源セットの各々は、複数のコンピューティング資源を含み、
前記スイッチの各々は、ホストリンクを通じて前記インターフェイスの中の対応する１つに連結され、複数の資源連結を通じて前記コンピューティング資源セットの中の対応する複数のセットに直接連結され、前記スイッチの中の１つが故障の場合、前記スイッチの間の複数のクロス接続を通じて前記スイッチの中の残りの１つにデータトラフィックが分散されるように構成され、
前記コンピューティングシステムは、Ｎ個（但し、Ｎは自然数）のインターフェイスを含み、
帯域幅ユニットＢ（但し、Ｂは正数）は、前記コンピューティング資源セットのコンピューティング資源の中の１つが最高帯域幅（ｆｕｌｌ  ｂａｎｄｗｉｄｔｈ）で動作するのに要求される帯域幅の量であり、
各資源連結は、少なくとも１×Ｂの帯域幅を有し、
各コンピューティング資源セットは、Ｋ（但し、Ｋは自然数）個以下のコンピューティング資源を有し、
前記複数のインターフェイスの各々の各ホストリンクは、Ｋ×Ｂの正常トラフィック帯域幅及びＫ×Ｂ以上の最大トラフィック帯域幅を支援し、
前記複数のクロス接続の各クロス接続は、少なくともＫ×Ｂ／（Ｎ−１）の帯域幅を有することを特徴とするコンピューティングシステム。
【請求項２】
前記少なくとも３つのスイッチは、
第１スイッチと、
第２スイッチと、
第１クロス接続を通じて前記第１スイッチに直接連結され、第２クロス接続を通じて前記第２スイッチに直接連結される第３スイッチと、を含むことを特徴とする請求項１に記載のコンピューティングシステム。
【請求項３】
第１ホストリンクを通じて前記第１スイッチに連結され、前記複数のインターフェイスの中の第１インターフェイスを含む第１サーバーノードと、
第２ホストリンクを通じて前記第２スイッチに連結され、前記複数のインターフェイスの中の第２インターフェイスを含む第２サーバーノードと、を更に含むことを特徴とする請求項２に記載のコンピューティングシステム。
【請求項４】
第３ホストリンクを通じて前記第３スイッチに連結される第３サーバーノードを更に含むことを特徴とする請求項３に記載のコンピューティングシステム。
【請求項５】
前記第１サーバーノードに直接連結される第１補助スイッチと、
前記第２サーバーノードに直接連結される第２補助スイッチと、
前記第３サーバーノードに直接連結される第３補助スイッチと、
前記第１補助スイッチを前記第２補助スイッチに直接連結する第１クロス接続と、
前記第１補助スイッチを前記第３補助スイッチに直接連結する第２クロス接続と、
前記第２補助スイッチを前記第３補助スイッチに直接連結する第３クロス接続と、を更に含むことを特徴とする請求項４に記載のコンピューティングシステム。
【請求項６】
前記複数のコンピューティング資源セットの中の第１コンピューティング資源セットは、第１データ格納装置セットを含み、
前記第１データ格納装置セットの各々は、前記複数の資源連結の中の第１資源連結を通じて前記第１スイッチに直接連結される第１ポートと、前記複数の資源連結の中の第２資源連結を通じて前記第２スイッチに直接連結される第２ポートとを有し、
前記複数のコンピューティング資源セットの中の第２コンピューティング資源セットは、第２データ格納装置セットを含み、
前記第２データ格納装置セットの各々は、前記複数の資源連結の中の第３資源連結を通じて前記第１スイッチに直接連結される第１ポートと、前記複数の資源連結の中の第４資源連結を通じて前記第２スイッチに直接連結される第２ポートとを有することを特徴とする請求項３に記載のコンピューティングシステム。
【請求項７】
第３クロス接続を通じて前記第１スイッチに直接連結され、第４クロス接続を通じて前記第２スイッチに直接連結される第４スイッチを更に含むことを特徴とする請求項６に記載のコンピューティングシステム。
【請求項８】
第３データ格納装置セットを更に含み、
前記第３データ格納装置セットの各々は、第５資源連結を通じて前記第３スイッチに直接連結される第１ポートと、第６資源連結を通じて前記第４スイッチに直接連結される第２ポートとを有することを特徴とする請求項７に記載のコンピューティングシステム。
【請求項９】
第４ホストリンクを通じて前記第４スイッチに直接連結される第４サーバーノードを更に含むことを特徴とする請求項８に記載のコンピューティングシステム。
【請求項１０】
第４データ格納装置セットを更に含み、
前記第４データ格納装置セットの各々は、第７資源連結を通じて前記第３スイッチに直接連結される第１ポートと、第８資源連結を通じて前記第４スイッチに直接連結される第２ポートとを有することを特徴とする請求項９に記載のコンピューティングシステム。
【請求項１１】
各スイッチは、他のスイッチの故障を検出し、前記スイッチに対応する前記クロス接続及び前記ホストリンクを通じて前記第１データ格納装置セット及び前記第２データ格納装置セットへのアクセスを提供するように構成されることを特徴とする請求項６に記載のコンピューティングシステム。
【請求項１２】
前記スイッチは、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）スイッチであり、
前記ホストリンク及び前記資源連結は、ＰＣＩｅバスリンクであることを特徴とする請求項１に記載のコンピューティングシステム。
【請求項１３】
少なくとも２つの高可用性ペア（ｈｉｇｈ−ａｖａｉｌａｂｉｌｉｔｙ  ｐａｉｒｓ）を備えるコンピューティングシステムであって、
各高可用性ペアは、
第１スイッチと、
第２スイッチと、
第１ホストリンクを通じて前記第１スイッチに連結される第１インターフェイスと、
第２ホストリンクを通じて前記第２スイッチに連結される第２インターフェイスと、
第１資源連結を通じて前記第１スイッチに直接連結され、第２資源連結を通じて前記第２スイッチに直接連結される第１コンピューティング資源セットと、
第３資源連結を通じて前記第１スイッチに直接連結され、第４資源連結を通じて前記第２スイッチに直接連結される第２コンピューティング資源セットと、
複数の第１クロス接続と、
複数の第２クロス接続と、を含み、
前記第１クロス接続の各々は、前記第１スイッチを他の高可用性ペアの各々の各スイッチに直接連結し、
前記第２クロス接続の各々は、前記第２スイッチを前記他の高可用性ペアの各々の各スイッチに直接連結し、
前記コンピューティングシステムは、Ｎ個（但し、Ｎは自然数）のサーバーノードを含み、
帯域幅ユニットＢ（但し、Ｂは正数）は、前記コンピューティング資源の中の１つが最高帯域幅（ｆｕｌｌ  ｂａｎｄｗｉｄｔｈ）で動作するのに要求される帯域幅の量であり、
各資源連結は、少なくとも１×Ｂの帯域幅を有し、
各コンピューティング資源セットは、Ｋ（但し、Ｋは自然数）個以下のコンピューティング資源を有し、
各サーバーノードは、Ｋ×Ｂの正常帯域幅を支援し、Ｋ×Ｂ以上の最大帯域幅を支援し、
各クロス接続は、少なくともＫ×Ｂ／（Ｎ−１）の帯域幅を有することを特徴とするコンピューティングシステム。
【請求項１４】
前記第１コンピューティング資源セットは、第１データ格納装置セットを含み、
前記第１データ格納装置セットの各々は、前記第１資源連結を通じて前記第１スイッチに直接連結される第１ポートと、前記第２資源連結を通じて前記第２スイッチに直接連結される第２ポートとを有し、
前記第２コンピューティング資源セットは、第２データ格納装置セットを含み、
前記第２データ格納装置セットの各々は、前記第３資源連結を通じて前記第１スイッチに直接連結される第１ポートと、前記第４資源連結を通じて前記第２スイッチに直接連結される第２ポートとを有することを特徴とする請求項１３に記載のコンピューティングシステム。
【請求項１５】
前記第１スイッチは、前記第２スイッチの故障を検出し、前記第１ホストリンク及び前記第１クロス接続を通じて前記第１データ格納装置セット及び前記第２データ格納装置セットへのアクセスを提供するように構成されることを特徴とする請求項１４に記載のコンピューティングシステム。
【請求項１６】
前記スイッチは、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）スイッチであり、
前記ホストリンク及び前記資源連結は、ＰＣＩｅバスリンクであることを特徴とする請求項１３に記載のコンピューティングシステム。
【請求項１７】
前記少なくとも２つの高可用性ペアは、
第１高可用性ペアと、
第２高可用性ペアと、
第３高可用性ペアと、
第４高可用性ペアと、を含むことを特徴とする請求項１３に記載のコンピューティングシステム。
【請求項１８】
予備資源連結ファブリックであって、
第１スイッチと、
第２スイッチと、
第１クロス接続を通じて前記第１スイッチに直接連結され、第２クロス接続を通じて前記第２スイッチに直接連結される第３スイッチと、
第１コンピューティング資源セットと、
第２コンピューティング資源セットと、を備え、
前記第１コンピューティング資源セットの各々は、第１資源連結を通じて前記第１スイッチに直接連結される第１ポートと、第２資源連結を通じて前記第２スイッチに直接連結される第２ポートとを有し、
前記第２コンピューティング資源セットの各々は、第３資源連結を通じて前記第１スイッチに直接連結される第１ポートと、第４資源連結を通じて前記第２スイッチに直接連結される第２ポートとを有し、
前記予備資源連結ファブリックは、Ｎ個（但し、Ｎは自然数）のインターフェイスを更に含み、前記スイッチの各々は、ホストリンクを通じて前記インターフェイスの対応する１つに連結され、
帯域幅ユニットＢ（但し、Ｂは正数）は、前記コンピューティング資源セットのコンピューティング資源の中の１つが最高帯域幅（ｆｕｌｌ  ｂａｎｄｗｉｄｔｈ）で動作するのに要求される帯域幅の量であり、
各資源連結は、少なくとも１×Ｂの帯域幅を有し、
各コンピューティング資源セットは、Ｋ（但し、Ｋは自然数）個以下のコンピューティング資源を有し、
前記Ｎ個のインターフェイスの各々の各ホストリンクは、Ｋ×Ｂの正常トラフィック帯域幅及びＫ×Ｂ以上の最大トラフィック帯域幅を支援し、
前記第１クロス接続及び前記第２クロス接続の各々は、少なくともＫ×Ｂ／（Ｎ−１）の帯域幅を有することを特徴とする予備資源連結ファブリック。
【請求項１９】
前記第１スイッチは、前記第２スイッチの故障を検出し、前記第１クロス接続を通じて前記第１コンピューティング資源セット及び前記第２コンピューティング資源セットへのアクセスを提供するように構成されることを特徴とする請求項１８に記載の予備資源連結ファブリック。
【請求項２０】
第３資源連結を通じて前記第１スイッチに直接連結され、第４資源連結を通じて前記第２スイッチに直接連結される第４スイッチを更に含むことを特徴とする請求項１８に記載の予備資源連結ファブリック。